(57)【要約】【課題】ノートパソコンは、常時、携帯して使用される閉鎖的な構造を有するコンピュータで、使用中にパソコンの本体の表面に傷跡が付きやすくなっている。液晶表示盤の裏面枠に設けた凹部に装飾板を着脱可能にして、凹部に嵌入出来る同一形状の数種類の装飾板を選択的に使用するノートパソコンを提供する。【解決手段】主要な操作機構として液晶表示盤とＣＰＵを本体に内蔵して有するキーボードから構成されているノートパソコンの表示盤の裏面枠１０に装飾板４を嵌入させる凹部３を形成して、該凹部内底面の開口部１４に透明板７を設け、凹部に装飾板を嵌入して係止可能な係止部と係止部の解除によって装飾板を凹部から離脱可能にする機構を設けて、前記の凹部３に嵌入した装飾板４を容易に着脱し、液晶表示盤の内部機構を目視出来る構造を有するノートパソコンの表示盤裏面枠の構造。【選択図】図６
2004094758.tif 000002
【特許請求の範囲】
【請求項１】
表示盤とキーボードから構成されているノートパソコンの表示盤の裏面枠に装飾板を嵌入させる凹部を形成して、前記の凹部に嵌入した装飾板を容易に着脱出来る構造により、前記の凹部に嵌入出来る同一形状の数種類の装飾板のいずれか一つの装飾板を選択的に装着可能な機構を表示盤の裏面に有するノートパソコンの表示盤裏面枠の構造。
【請求項２】
装飾板を嵌入させる凹部底面に透明板を設けて、表示盤内部機構を透視して確認可能にしたことを特徴とする請求項１に記載のノートパソコンの表示盤裏面枠の構造。
【請求項３】
凹部内に装飾板を係合可能な嵌合部並びに嵌入部等からなる係止部と係止部の解除によって装飾板を凹部から離脱可能にする機構を設けてあることを特徴とする請求項１又は請求項２に記載のノートパソコンの表示盤裏面枠の構造。
【発明の詳細な説明】
【０００１】
【発明の属する技術分野】本発明に係るノートパソコンの表示盤裏面枠の構造は、ノートパソコン本体を表示盤の裏面枠に装着する装飾板の交換を可能にする事によって、表示盤の裏面枠に設けた凹部に嵌入出来る同一形状の複数の装飾板のいずれか一つを着脱して、使用者が装飾的な変化を楽しみながらノートパソコンの機能を利用出来る製品を提供する事を目的とするものである。
【０００２】ノートパソコンは、使用者がそれを携帯してコンピュータ機能を利用するものである。このために、運搬や使用中にノートパソコン本体の表面に傷が付き易くなっている。表示盤の裏面に設ける複数の装飾板は、それぞれに裏面枠に設けた凹部とこれに嵌入出来る同一の形状を有するものであって、表示盤の裏面を飾る模様が様々にデサインされており、同一形状の装飾板を交換して表示盤裏面の凹部に装着すればそのノートパソコンの表示盤の裏面を飾る事が出来るものである。
【０００３】一般的にノートパソコンは閉鎖構造になっているが、本発明では、使用者がそれを運搬や使用中にノートパソコンの表示盤の内部機構を透視する事が出来るようにする。このために、表示盤の裏面に設ける複数の装飾板は、それぞれに係合凹凸等の嵌合部と嵌入部とからなる係止部と、係止部の解除によって装飾板を凹部から離脱して、同一形状の装飾板を交換出来るようにして、装飾板を取り外せば透明板を通してノートパソコンの表示盤の内部機構を目視出来るようにする。
【０００４】
【従来の技術】前記のように従来のノートパソコンは、閉鎖構造の中にノートパソコンの主要な機構が格納されているので、使用者は液晶表示画面の内部機構を確認する事が出来ないものが一般的である。例えば、特開２０００１−２４２９５５号公開特許公報に記載のあるノートパソコンの着脱ユニット構造のように表示盤の裏面は、閉鎖構造になっており、内部機構を透視することや同一形状の装飾板を交換して着脱出来るようなオープンな構造のものではなく、ノートパソコンの装飾的な審美感を高める効果や内部機構について知的好奇心を高めるには限界があった。従来のノートパソコンは、表示盤とキーボードの電気的な接続関係を中心にして機能性を追及しているものが殆どであって、その機能性の追及の結果としての装飾効果を高めるものである。このために、ノートパソコンの意匠は、機能性重視の顕著な傾向があった。
【０００５】
【発明が解決しようとする課題】ノートパソコンは携帯して使用されるコンピュータで、運搬や取り扱い中に荒々しくなることもあるので使用中にパソコンの本体の表面に傷跡が付きやすく、又表示盤に故障が生じても表示盤内部の機構を目視確認する事が出来ない閉鎖構造になっている。本発明は、ノートパソコンの表示盤の裏面に同一形状の数種類の装飾板の内一つの装飾板を表示盤の裏面に設けた凹部に着脱することが出来るようにして、もし表示盤に故障が生じればその装飾板を外してみれば、表示盤の内部機構を目視確認出来るようにすることを特徴とするノートパソコンを提供しようとするものである。
【０００６】
【課題を解決するための手段】本発明に係るノートパソコンの表示盤裏面枠の構造は、表示盤とキーボードから構成されているノートパソコンの表示盤の裏面に設けた凹部に複数の装飾板のいずれか一つを嵌入させて、前記の凹部に嵌入した装飾板を容易に着脱出来る構造により、同一形状を有する数種類の装飾板のいずれか一つの装飾板を使用者の好みに合わせて選択的に着脱する事が出来る機構を表示盤の裏面に有するノートパソコンである。
【０００７】請求項１に記載の発明は、表示盤とキーボードから構成されているノートパソコンの表示盤の裏面枠に装飾板を嵌入させる凹部を形成して、この凹部に嵌入した装飾板を容易に着脱出来る構造により、同一形状の数種類の装飾板のいずれか一つの装飾板を選択的に装着可能な機構を表示盤の裏面に有するノートパソコンの表示盤裏面枠の構造である。
【０００８】請求項２に記載の本発明の実施態様は、請求項１に記載のノートパソコンの表示盤裏面枠の構造において、装飾板を嵌入させる凹部底面に透明板を設けて、透明板内の表示盤の内部機構を目視して確認できるようにすることを特徴とするものである。
【０００９】請求項３に記載の本発明の実施態様は、表示盤の裏面に設けた凹部内に装飾板を係合可能な嵌合部並びに嵌入部等からなる係止部と係止部の解除によって装飾板を凹部から離脱可能にする機構を設けてあることを特徴とするものである。
【００１０】
【発明の実施の形態】本発明の技術的思想は、実施例において次に記載のように具体化されている。
【００１１】表示盤とキーボードから構成されているノートパソコンの表示盤の裏面枠には、装飾板を嵌入させる凹部を形成してある。この凹部の底面には、透明板を設け、凹部に嵌入した装飾板を容易に着脱出来る構造により、凹部に嵌入出来る同一形状の数種類の着せ替え可能な装飾板のいずれか一つの装飾板を選択的に装着可能な機構を表示盤の裏面に有するようにする。
【００１２】前記のノートパソコンの表示盤裏面の凹部に装飾板を着脱可能に構成し、装飾板を離脱させれば、凹部底面に設けた透明板内の表示盤の内部機構を目視して確認できるようにする。
【００１３】表示盤の裏面に設けた凹部に装飾板を嵌入して、凹部と装飾板とを止めるために係合する必要がある。両者が係合可能にするために、例えば、凹部の内側面には係合凹部と装飾板の外側面には係合凸部のように、嵌合部と嵌入部等からなる係止部を設けている。凹部に装飾板を嵌入可能にし若しくは凹部に嵌入した装飾板を離脱することも容易に可能にする機構を設けてある。其のほか、例えば、凹部には位置の移動可能なストッパーを設け、装飾板に下向きに設けた鉤爪をストッパーに掛けて凹部に取り付け、前記のストッパーの位置を移動して装飾板に設けた鉤爪を外して装飾板を取り外すようにしてもよい。又、表示盤の裏面凹部には、ガイド溝を設けて装飾板の側面に設けたレールをガイド溝に差し込んでスライドさせて、装飾板を凹部に装着又は離脱する機構にする事も出来る。
【００１４】
【実施例】添付図面は、本発明の実施例について図示している。
図１は、断面図の方向をＡ−Ａ線及びＢ−Ｂ線で示すノートパソコンの斜視図、図２は、同上正面図、図３は、実施例１に於けるノートパソコンの裏面枠凹部に装飾板を嵌入したＡ−Ａ線断面図、図４は、実施例２に於けるノートパソコンの裏面枠凹部底面に透明板を設けて装飾板を嵌入したＡ−Ａ線断面図、図５は、図３に示す実施例１に於けるＢ−Ｂ線断面図、図６は、図４に示す実施例２に於けるＢ−Ｂ線断面図、図７は、ノートパソコンの表示盤裏面枠より装飾板を外した裏面枠の凹部の状態を示す斜視図をそれぞれ示すものである。
【００１５】実施例のノートパソコン１の表示盤２は、表示盤裏面枠１０に半導体基板８及び液晶表示画面９がボルト１１で締結された液晶表示盤であって、その画面の前面周囲を覆うために前面枠１２と裏面枠１０とを嵌着することによって、液晶表示画面９を不透明な裏面枠と前面枠間に構成している。本発明の実施例１並びに実施例２は、液晶表示盤の裏面枠１０に装飾板４を嵌入するための凹部３を設けて、その凹部３に装飾板４を着脱可能に装着するための係合凹凸部等５，６で係合部を設けて装飾板が容易に着脱出来る機構にしてあって、更に凹部底面に穴を開け、その開口部に対して透明板７を構成し、液晶表示画面９の内部機構が目視出来る構造にしているものである。
【００１６】
【実施例１】ノートパソコンの操作部は、主要な入力・出力の機能部として液晶画面を有する表示盤２とＣＰＵを内蔵する本体に備えるキーボード１３から構成されている。ノートパソコン１の表示盤２は、裏面枠１０に装飾板４を嵌入させる凹部３を形成して、この凹部に嵌入した装飾板４を容易に着脱出来る係合凹凸５，６の構造を設ける。これにより、凹部３に嵌入される同一形状の数種類の装飾板は、凹部３に嵌入出来る同一形状の装飾板４のいずれか一つの装飾板を選択的に装着可能な機構を設けてある。
【００１７】
【実施例２】ノートパソコン１の表示盤の裏面枠に設けた装飾板４を嵌入させる凹部３の底面に穴を開けて、その開口部１４に透明板７を設けて、凹部３に嵌入されている装飾板４を外して、透明板内部の表示盤の内部機構を目視して内部の様子を確認できるようにしたものである。
【００１８】表示盤２の裏面枠１０に設けた凹部３内と装飾板４とを係合可能な係合凹凸５，６を嵌合するようにした係止部を設ける。この係止部によって同一形状を有する装飾板は交換して凹部３に嵌入可能になり、凹部３に装着している装飾板は、この係止部の解除によって外れ、装飾板を凹部に交換可能にする機構を設けてある。
【００１９】
【実施例の作用】表示盤の裏面枠１０に設けた凹部３には、装飾板４を嵌入して装着する。実施例２は、係合部の凹凸５，６を解除すれば、透明板７を透過して表示盤の内部機構を目視して確認することが出来る。又実施例１並びに２は、凹部３の形状に嵌合出来る同一形状の装飾板４の交換を可能にしたものである。
【００２０】
【発明の効果】本発明の効果は、請求項１乃至請求項３の各項に記載の構成により、次に記載の効果を奏するものである。
【００２１】ノートパソコンは携帯して使用されるコンピュータで、使用中にパソコンの本体の表面に傷跡が付きやすくなっている。特に、液晶表示盤の裏面枠の傷痕は最も目につき易く、本発明はそこに設けた凹部に装飾板を装着する事が出来るので、ノートパソコンを常に新しい感覚で使用する事が出来る。
【００２２】本発明は、ノートパソコンの液晶表示盤に故障が生じている場合にはその表示盤裏面の凹部に嵌入された装飾板を外せば、凹部内底部の透明板を透視して、前記の表示盤内部の目視確認をすることが出来るノートパソコンを提供する事が出来る。
【００２３】ノートパソコンの液晶表示盤の裏面凹部に嵌入出来る装飾板を着脱可能にして、同じ形状の数種類の装飾板のいずれか一つを選択的に装着することが出来るようにしたノートパソコンを提供する事が出来る。
【００２４】本発明は、数種類の装飾板のいずれか一つの装飾板を選んでノートパソコンの表示盤の裏面枠に装着が出来るようにしたので、使用者は好みの装飾板を選んでノートパソコンの装飾を変更する事が自由に出来ると共に、その裏面枠の凹部底面を透視出来る構造によって表示盤内部の目視確認をする事が出来る機構であるので、ノートパソコン製品の販売を促進する事が出来る。
【図面の簡単な説明】
【図１】ノートパソコンの斜視図
【図２】同上正面図
【図３】実施例１に於けるノートパソコンの裏面枠凹部に装飾板を嵌入したＡ−Ａ線断面図
【図４】実施例２に於けるノートパソコンの裏面枠凹部底面に透明板を設けて装飾板を嵌入したＡ−Ａ線断面図
【図５】実施例１に於けるＢ−Ｂ線断面図
【図６】実施例２に於けるＢ−Ｂ線断面図
【図７】ノートパソコンの表示盤裏面枠より装飾板を外した凹部の状態を示す斜視図
【符号の説明】
１．．．ノートパソコン
２．．．表示盤
３．．．表示盤裏面枠に設けた凹部
４．．．装飾板
５．．．係合凹部
６．．．係合凸部
７．．．透明板
８．．．半導体基板
９．．．液晶表示画面
１０．．．裏面枠
１１．．．締結ボルト
１２．．．前面枠
１３．．．キーボード
１４．．．開口部
【図１】
2004094758.tif 000003
【図２】
2004094758.tif 000004
【図３】
2004094758.tif 000005
【図４】
2004094758.tif 000006
【図５】
2004094758.tif 000007
【図６】
2004094758.tif 000008
【図７】
2004094758.tif 000009